(57)【要約】 【課題】  光学機材、これを有するバックライトアセンブリー及びこれを有する表示装置が開示されている。【解決手段】  光学機材はドーナッツ形状のグルーブが形成された光入射面、光入射面と対向して光を出射させる光出射面及び光入射面と光出射面を連結する連結面を含む。バックライトアセンブリーは、グルーブを有する光学機材、光学機材の下部に配置された収納容器、光学機材の上部に配置された拡散板を含む。表示装置はグルーブを有する光学機材の上面に表示パネルを含む。グルーブが形成された光学機材は、光学機材の上部に配置された拡散板と光学機材が形成する間隔をより狭くしてバックライトアセンブリー及び表示装置の体積を大きく減少させ、光学機材から出射された光の輝度均一性を向上させ、表示装置から発生された画像の表示品質を向上させる。【選択図】    図１
2006012763.tif 000002
【特許請求の範囲】
【請求項１】
光源に向かう入射面と前記入射面に対向する対向面を有し、前記入射面と前記対向面のうち、少なくとも一面は第１閉曲線及び前記第１閉曲線を囲む第２閉曲線で境界が画成される領域内に凹面で形成されたグルーブを少なくとも一つ含むことを特徴とする光学機材。
【請求項２】
前記第１閉曲線及び前記第２閉曲線は、同じ中心を有する円であることを特徴とする請求項１記載の光学機材。
【請求項３】
前記グルーブの深さは、前記中心からの距離が増加するほど減少することを特徴とする請求項２記載の光学機材。
【請求項４】
前記第２閉曲線で形成された境界で前記グルーブの深さは０であることを特徴とする請求項３記載の光学記載。
【請求項５】
前記グルーブが形成された前記一面と前記グルーブの凹面が形成する角度は０゜〜４３゜の範囲であることを特徴とする請求項３記載の光学機材。
【請求項６】
前記グルーブを複数個含み、前記複数のグルーブはマトリクスの形態で配列されたことを特徴とする請求項１記載の光学機材。
【請求項７】
前記入射面のうち、前記第１閉曲線を外周とする面に光反射層が形成されたことを特徴とする請求項１記載の光学機材。
【請求項８】
底面を有する収納容器と、
前記底面から所定間隔に離隔された場所に配置され、入射面と前記入射面に対向する対向面を有し、前記入射面と前記対向面のうち、少なくとも一面は第１閉曲線及び前記第１閉曲線を囲む第２閉曲線で境界が画成される領域内に凹面で形成されたグルーブを少なくとも一つ含む光学機材と、
前記底面に前記光学機材と向い合うように配置され、前記グルーブに向かって光を供給する光源と、を含むことを特徴とするバックライトアセンブリー。
【請求項９】
前記光源は、発光ダイオードであることを特徴とする請求項８記載のバックライトアセンブリー。
【請求項１０】
前記発光ダイオードは、赤色発光ダイオード、緑色発光ダイオード、青色発光ダイオード及び白色発光ダイオードのうち、少なくとも一つであることを特徴とする請求項９記載のバックライトアセンブリー。
【請求項１１】
前記光源は、前記グルーブで前記光を出射するためのレンズを含むことを特徴とする請求項８記載のバックライトアセンブリー。
【請求項１２】
前記光学機材の前記入射面は、前記光源と向い合うことを特徴とする請求項８記載のバックライトアセンブリー。
【請求項１３】
前記光学機材の前記対向面は、前記光源と向い合うことを特徴とする請求項８記載のバックライトアセンブリー。
【請求項１４】
前記入射面のうち、前記第１閉曲線を外周とする面には、光反射層が形成されたことを特徴とする請求項１３記載のバックライトアセンブリー。
【請求項１５】
前記光学機材から離隔された位置には、前記光学機材から出射された前記光を拡散させる拡散部材が配置されたことを特徴とする請求項８記載のバックライトアセンブリー。
【請求項１６】
前記光源及び前記拡散部材が形成する間隔は、２０ｍｍ〜３０ｍｍであることを特徴とする請求項１５記載のバックライトアセンブリー。
【請求項１７】
底面を有する収納容器、前記底面から所定間隔に離隔された位置に配置され、入射面と前記入射面に対向する対向面を有し、前記入射面と前記対向面のうち、少なくとも一面は第１閉曲線並びに前記第１平曲線を囲む第２閉曲線で境界が画成される領域内に凹面で形成されたグルーブを少なくとも一つ含む光学機材、及び前記底面に前記光学機材と向い合うように配置され、前記グルーブに向かって光を供給する光源を含むバックライトアセンブリーと、
前記光学機材の上部に配置され、前記光学機材を通過した光を情報が含まれたイメージ光に変更させる表示パネルと、を含むことを特徴とする表示装置。
【請求項１８】
前記表示パネルは、第１電極がマトリクス形態で配置された第１基板、前記第１基板と向い合って第２電極が形成された第２基板及び前記第１と第２基板との間に介在された液晶層を含むことを特徴とする請求項１７記載の表示装置。
【発明の詳細な説明】
【技術分野】
【０００１】
本発明は、光学機材、これを有するバックライトアセンブリー及びこれを有する表示装置に関するものである。より具体的には、本発明は、輝度均一性は向上させ、体積は減少させた光学機材、これを有するバックライトアセンブリー及びこれを有する表示装置に関するものである。
【背景技術】
【０００２】
一般的に、バックライトアセンブリー（ｂａｃｋ  ｌｉｇｈｔ  ａｓｓｅｍｂｌｙ）は、外部光を用いて画像を表示する表示装置に採用される。バックライトアセンブリーを用いる表示装置は、液晶を用いて画像を表示する液晶表示装置（ＬＣＤ）が代表的である。
【０００３】
従来のバックライトアセンブリーは、光を発生するために、発光ダイオード（ＬＥＤ）、冷陰極線管ランプ（ＣＣＦＬ）及び平板蛍光ランプ（ＦＦＬ）などのような光源を含む。
【０００４】
この光源のうち、冷陰極線管ランプ及び平板蛍光ランプは、主に大型表示装置に採用され、発光ダイオードは、小型表示装置に採用されている。発光ダイオードが高い輝度及び低い消費電力の特性にもかかわらず、大型表示装置に用いられない理由は輝度均一性が冷陰極線管ランプ及び平板蛍光ランプより低いためである。
【０００５】
最近には、高輝度及び低消費電力の特性を有する発光ダイオードをマトリクス形態に配置して画像を表示するのに必要な光を発生させるためのバックライトアセンブリーが開発された。従来発光ダイオードを含むバックライトアセンブリーは発光ダイオードの上部に光学機材（ｌｉｇｈｔ  ｇｕｉｄｅ  ｐｌａｔｅ）が配置され、発光ダイオードから発生した光の輝度均一性を向上させるが、これのような従来のバックライトアセンブリーは輝度均一性を向上させるために体積が大きく増加する問題点を有する。
【発明の開示】
【発明が解決しようとする課題】
【０００６】
従って、本発明は、このような従来の問題点を勘案したものであって、本発明の一目的は、輝度均一性は向上させ、体積は減少させるための表示装置用光学機材を提供する。
本発明の他の目的は、前記光学機材を有するバックライトアセンブリーを提供する。
本発明のまた他の目的は、前記バックライトアセンブリーを有する表示装置を提供する。
【課題を解決するための手段】
【０００７】
このような本発明の一目的を具現するために、本発明による光学機材は、ドーナッツ形状のグルーブが形成された光入射面、光入射面と対向して光を出射させる光出射面及び光入射面と光出射面を連結する連結面を含む。
【０００８】
本発明の他の目的を具現するために、本発明によるバックライトアセンブリーは底面を有する収納容器、底面から所定間隔に離隔された位置に配置され、ドーナッツ形状のグルーブが形成された第１面、第１面と対向する第２面及び第１面と第２面を連結する連結面を含む光学機材及び底面に光学機材と向い合うように配置され、グルーブに向かって光を供給する光源を含む。
【０００９】
本発明のまた他の目的を具現するために、本発明による表示装置は底面を有する収納容器、底面から所定間隔に離隔された位置に配置され、ドーナッツ形状のグルーブが形成された第１面、第１面と対向する第２面及び第１面と第２面を連結する連結面を含む光学機材及び底面に光学機材と向い合うように配置され、グルーブに向かって光を供給する光源を含むバックライトアセンブリー及び光学機材の上部に配置され、光学機材を通過した光を情報が含まれたイメージ光に変更させる表示パネルを含む。
【００１０】
本発明によると、光源と向い合う光学機材に光の輝度均一性を向上させるためのグルーブを形成してバックライトアセンブリー及び表示装置から出射された光の輝度均一性をより向上させ、バックライトアセンブリー及び表示装置の体積をより減少させる。
【発明を実施するための最良の形態】
【００１１】
以下、添付した図面を参照して本発明の望ましい実施例をより詳細に説明する。
光学機材
実施例１
図１は、本発明の第１実施例による光学機材の一部を図示した平面図である。図２は、図１のＩ１−Ｉ２に沿って見た断面図である。
【００１２】
図１及び図２を参照すると、本実施例による光学機材１００は、例えば、プレート形状を有するポリメタクリル酸メチル（ＰＭＭＡ）の物質を含む。本実施例で、光学機材１００は、望ましくは導光板（ｌｉｇｈｔ  ｇｕｉｄｅ  ｐｌａｔｅ）を含む。
【００１３】
例えば、光学機材１００は、直六面体のプレートの形状を有する。従って、光学機材１００は、例えば、四つの側面を有し、四つの側面に連結された光入射面１１０及び光出射面１２０を含む。側面に連結された光入謝面１１０及び光出射面１２０は互いに向い合うように配置される。本実施例で、光入射面１１０及び光出射面１２０は、第１平面積を有し、光入射面１１０及び光出射面１２０の第１平面積は、側面の第２平面積より広い。
【００１４】
光学機材１００の光入射面１１０を通じて入射された入射光は、光学機材１００の内部から数回反射された後、光学機材１００の光出射面１２０にて出射光が出射される。
【００１５】
しかし、光学機材１００の光入射面１１０に向かって輝度は高くて輝度均一性が低い、例えば、点形態の光学分布を有する入射光が入射される場合、光学機材１００から出射される出射光も低い均一性を有する。
【００１６】
これを解決するために、本実施例では、光入射面１１０及び光出射面１２０のうち、いずれか一つにはグルーブ１３０が形成される。本実施例では、例えば、光入射面１１０にグルーブ１３０が形成される。例えば、グルーブ１３０は、第１閉曲線１３４、第１閉曲線１３４によって囲まれた第２閉曲線１３３及び第１乃至第３閉曲線１３４、１３３によって画成された領域内に形成された凹面１３２を含む。
【００１７】
本実施例で、第１閉曲線１３４及び第２閉曲線１３３は、平面上で見たとき、多様な形状を有することができる。本実施例で、第１閉曲線１３４及び第２閉曲線１３３は、例えば、円形状を有する。従って、本実施例によるグルーブ１３０は、例えば、ドーナッツの形状を有する。本実施例によるグルーブ１３０は、入射光が光入射面１１０に入射されることを制限して、光学機材１００の光出射面１２０に出射される出射光の輝度均一性をより向上させる。
【００１８】
光入射面１１０に形成されたグルーブ１３０、例えば、光入射面１１０の表面に形成された凹んだ溝の形状で形成される。従って、グルーブ１３０は、光入射面１１０から第１閉曲線１３４及び第２閉曲線１３３によって形成された凹面１３２を有する。本実施例で、グルーブ１３０は、グルーブ１３０に光を供給する光源に対応する位置に形成される。
【００１９】
本実施例で、第１閉曲線１３４は、光入射面１１０上に形成されたグルーブ１３０の中心０から第１長さ（Ｌ２）の半径を有する、例えば、円形状を有する。第２閉曲線１３３は、光入射面１１０上に形成されたグルーブ１３０の中心０から第２長さ（Ｌ１）の半径を有する、例えば、円形状を有する。本実施例で、第１閉曲線１３４の第１長さは、例えば、第２閉曲線１３３の第２長さより短い。
【００２０】
本実施例で、光入射面１１０上で、第１閉曲線１３４と第２閉曲線１３３との間に形成された幅Ｗは、グルーブ１３０によって制限される入射光の光量によって決定される。例えば、グルーブ１３０から光学機材１００に入射光の光量をより多く制限するためには幅Ｗをより広く形成し、グルーブ１３０から光学機材１００に入射される入射光の光量をより少なく制限するためには幅Ｗを相対的に狭く形成する。
【００２１】
本実施例で、光入射面１１０に形成されたグルーブ１３０の凹面１３２は、光出射面１２０に対して斜めに形成される。例えば、グルーブ１３０の深さは、第２閉曲線１３３から第１閉曲線１３４に移動するほど光入射面１１０に対して次第に深くなる深さを有する。従って、グルーブ１３０は光入射面１１０に対して第２閉曲線１３３で深さが一番浅く、光入射面１１０に対して第１閉曲線１３４で深さが一番深い。
【００２２】
本実施例で、グルーブ１３０及び光入射面１１０が形成する傾斜角度は０゜〜４３゜の範囲を有することができる。
【００２３】
また、光入射面１１０に形成されたグルーブ１３０の凹面１３２は、曲面であることができる。また、光入射面１１０に形成されたグルーブ１３０の凹面１３２及び第１閉曲線１３４が接する部分が曲面であることができる。また、光入射面１１０及び第１閉曲線１３４が接して形成された角はラウンド形状を有することができる。
【００２４】
図３は、本発明の第１実施例による光入射面に形成された光反射層を図示した断面図である。
【００２５】
図３を参照すると、第１閉曲線１３４によって囲まれた光学機材１００の光入射面１１０には光反射層１３６が形成されることができる。光反射層１３６は、光学機材１００の光入射面１１０に向かう光のうち、第１閉曲線１３４によって囲まれた部分に入射される光を反射させる。
【００２６】
本実施例によって、光入射面１１０にドーナッツ形状のグルーブ１３０が形成された光学機材１００は、点形態の光学分布を有する光を提供する点光源を含むバックライトアセンブリーなどに特に適合である。
【００２７】
バックライトアセンブリー
実施例２
図４は、本発明の第２実施例によるバックライトアセンブリーを図示した断面図である。
図４を参照すると、バックライトアセンブリー６００は、収納容器２００、グルーブ３３０を有する光学機材３００及び光源４００を含む。
【００２８】
収納容器２００は、底面２１０及び底面２１０に連結された側壁（図示せず）を含む。底面２１０は多様な形状を有することができ、側壁は底面２１０のエッジに形成され、これによって底面２１０の上部には収納空間２１５が形成される。
【００２９】
光学機材３００は、例えば、プレート形状を有するポリメタクリル酸メチル（ＰＭＭＡ）の物質を含む。
【００３０】
例えば、本実施例で、光学機材３００は、直六面体プレートの形状を有する。従って、光学機材３００は、例えば、四つの側面を有し、四つの側面に連結された第１面３１０及び第２面３２０を含む。
【００３１】
側面に連結された第１面３１０及び第２面３２０は、互いに向い合うように配置され、例えば、第１面３１０は、収納容器２００の底面２１０と向い合うように配置される。
【００３２】
本実施例で、第１面３１０及び第２面３２０は、第１平面積を有し、第１面３１０及び第２面３２０の第１平面積は側面の第２閉面積より広い。
【００３３】
本実施例で、第１面３１０又は第２面３２０のうち、いずれか一つには、例えば、第１閉曲線３３６及び第２閉曲線３３４によって画成された領域に形成されたグルーブ３３０が形成される。グルーブ３３０は、例えば、第１面３１０の表面に凹んだ溝の形状で形成される。従って、グルーブ３３０は、第１面３１０から凹んで形成された凹面３３２、凹面３３２と第１面３１０が接して形成された第２閉曲線３３４及び第１閉曲線３３６を有する。
【００３４】
本実施例で、第２閉曲線３３４は、グルーブ３３０の中心０から第１長さ（Ｌ１）の半径を有する円形状を有し、第１閉曲線３３６は、グルーブ３３０の中心０から第２長さ（Ｌ２）の半径を有する円形状を有する。本実施例で、第１閉曲線３３６の第２長さは、例えば、第２閉曲線３３４の第２長さより短い。
【００３５】
本実施例で、第１面３１０上で、第２閉曲線３３４と第１閉曲線３３６との間に形成された幅Ｗは第２面３２０での輝度均一性を勘案して調節することができる。
【００３６】
本実施例で、例えば、第１面３１０に形成されたグルーブ３３０の凹面３３２は、第２面３２０に対して斜めに形成される。例えば、グルーブ３３０の深さは、第２閉曲線３３４から第１閉曲線３３６に向かって第１面３１０に対して次第に深くなる。従って、グルーブ３３０は、第２閉曲線３３４で深さが一番浅く、第１閉曲線３３６で深さが一番深い。本実施例で、グルーブ３３０及び第１面３１０が形成する傾斜角度は０゜〜４３゜の範囲に形成されることができる。
【００３７】
一方、光反射層３３８は、第１閉曲線３３６の内部に配置される。光反射層３３８は光学機材３００の第1面３１０に向かう光を反射させる。
収納容器２００と光学機材３００との間には光源４００が配置される。本実施例で、光源４００は、光学機材３００の第１面３１０と向い合う底面２１０上に配置される。光源４００は、例えば、高輝度を有する光を発生する発光ダイオードである。
【００３８】
本実施例で、光源４００は光学機材３００の第１面３１０に形成されたグルーブ３３０の第１閉曲線３３６の中心０に整列され、光源４００から発生された光は光学機材３００の第２面３２０に向かって出射される。
【００３９】
ここで、光源４００から光学機材３００を通じて出射された光の多くは、光源４００からグルーブ３３０に向かって出射され、一部は光学機材３００に形成された光反射層３３８から反射される。
【００４０】
光源４００から出射されてグルーブ３３０に向かう光の一部は、グルーブ３３０から反射され、一部はグルーブ３３０を通じて光学機材３００の内部に入射される。光学機材３００の第１面３１０に形成された光は再び光源４００に向かって反射される。従って、グルーブ３３０は、光源４００から光学機材３００の特定方向に向かう光の進路を変更して光学機材３００の第２面３２０に出射される光の輝度均一性をより向上させることができる。
【００４１】
実施例３
図５は、本発明の第３実施例によるバックライトアセンブリーの断面図である。本発明の第３実施例によるバックライトアセンブリーは、実施例２の光源を除くと実施例２のバックライトアセンブリーと同じである。従って、同じ部材に対しては実施例２と同じ参照符号で示し、その重複された説明は省略する。
【００４２】
図５を参照すると、本実施例によるバックライトアセンブリー６００の光源４００は、収納容器２００の底面２１０に配置され、発光ダイオードを含む。例えば、本実施例による光源４００は、赤色光を発生させる赤色発光ダイオード（ＲＬＥＤ）、緑色光を発生させる緑色ダイオード（ＧＬＥＤ）及び青色光を発生させる青色発光ダイオード（ＢＬＥＤ）を含む。
【００４３】
赤色発光ダイオード（ＲＬＥＤ）緑色発光ダイオード（ＧＬＥＤ）及び青色発光ダイオード（ＢＬＥＤ）は、収納容器２００の底面２１０にマトリクスの形態に配置され、赤色、緑色及び青色発光ダイオード（ＲＬＥＤ，ＧＬＥＤ，ＢＬＥＤ）は収納容器２００の底面２１０に交代に配置される。
また、本実施例によるバックライトアセンブリー６００の光源４００は、白色光を発生させる白色発光ダイオードを含むことができる。
【００４４】
実施例４
図６は、本発明の第４実施例によるバックライトアセンブリーの断面図である。本発明の第４実施例によるバックライトアセンブリーは実施例２の光源を除くと、実施例２のバックライトアセンブリーと同じである。従って、同じ部材に対しては、実施例２と同じ参照符号で示し、その重複された説明は省略する。
【００４５】
図６を参照すると、本実施例による光源４００は、赤色光、緑色光及び青色光をそれぞれ発生する発光ダイオード（ＲＬＥＤ，ＧＬＥＤ，ＢＬＥＤ）を含むことができる。本実施例による光源４００から発生した光を光学機材３００のグルーブ３３０に入射させるために光源４００にはレンズ４１０が配置される。
【００４６】
レンズ４１０は、光源４００から発生した光が光学機材３００に形成されたグルーブ３３０に向かって出射されるように光源４００から発生した光の進行経路を変更させる。
光源４００から発生した光は、レンズ４１０によって光学機材３００から垂直な方向に対して所定の傾斜を有する方向に出射される。
【００４７】
実施例５
図７は、本発明の第５実施例によるバックライトアセンブリーの断面図である。本発明の第５実施例によるバックライトアセンブリーは、実施例２の光学機材を除くと実施例２のバックライトアセンブリーと同じである。従って、同じ部材に対しては実施例２の同じ参照番号で示し、その重複された説明は省略する。
【００４８】
図７を参照すると光学機材３００は、光学機材３００の第２面３２０を通じて出射される光の輝度均一性を向上させるためのグルーブ３３５を含む。本実施例で、グルーブ３３５は、光学機材３００の第２面３２０に形成される。
【００４９】
光学機材３００の第２面３２０に形成されたグルーブ３３５は、第１閉曲線３３６ａ、第２閉曲線３３４ａ及び第１及び第２閉曲線３３６ａ、３３４ａによって形成された凹面３３５ａを含む。例えば、グルーブ３３５は、光学機材３００の第２面３２０の表面に凹んだ溝の形状で形成される。
【００５０】
本実施例で、第２閉曲線３３４ａは第２面３２０上に形成されたグルーブ３３５の中心０から第１長さ（Ｌ１）の半径を有する円形状を有し、第１閉曲線３３６ａは、第２面３２０上に形成されたグルーブ３３５の中心０から第２長さ（Ｌ２）の半径を有する円形状を有する。本実施例で、第１閉曲線３３６ａの第２長さ（Ｌ２）は、例えば、第２閉曲線３３４ａの第長さ（Ｌ１）より短い。
【００５１】
本実施例で、第２面３２０上で、第２閉曲線３３４ａと第１閉曲線３３６ａとの間に形成された幅Ｗは第２面３２０での輝度均一性を勘案して調節されることができる。
【００５２】
本実施例で、第２面３２０に形成されたグルーブ３３５の凹面３３５ａは、第１面３１０に対して斜めに形成される。例えば、グルーブ３３５の深さは第２閉曲線３３４ａから第１閉曲線３３６ａに向かって第２面３２０に対して次第に深くなる。従って、グルーブ３３５は、第２閉曲線３３４ａで深さが一番浅く、第１閉曲線３３６ａで深さが一番深い。本実施例で、グルーブ３３５及び第２面３２０が形成する傾斜角度は０゜〜４３゜の範囲に形成されることができる。
【００５３】
一方、第１閉曲線３３６ａによって囲まれた光学機材３００の第１面３１０には光反射層３３８が形成されることができる。光反射層３３８は光学機材３００の第１面３１０に向かう光を反射させる。
【００５４】
実施例６
図８は、本発明の第６実施例によるバックライトアセンブリーを図示した断面図である。本発明の第６実施例によるバックライトアセンブリーは、拡散板を除くと実施例２のバックライトアセンブリーと同じである。従って、同じ部材に対しては実施例２と同じ参照符号で示し、その重複された説明は省略する。
【００５５】
図８を参照すると、拡散板５００は、光学機材３００の第２面３２０から所定間隔に離隔されて配置される。拡散板５００は、光学機材３００の第２面３２０から出射されて互いに混合された光を拡散させて輝度均一性をより向上させる。
【００５６】
ここで、拡散板５００と光学機材３００との間に形成された間隔（Ｄ）はバックライトアセンブリー６００の輝度均一性及び体積に大きい影響を及ぼす。
【００５７】
一般的に、拡散板５００と光学機材３００との間に形成された間隔（Ｄ）が離れるほど輝度均一性は向上される反面、バックライトアセンブリー６００の全体体積は大きく増加される。反面、拡散板５００と光学機材３００との間に形成された間隔（Ｄ）が減少するほどバックライトアセンブリー６００の体積は減少し、反対に輝度均一性は大きく低下される。これを勘案して一般的に拡散板５００と光学機材３００は約５０ｍｍ以上の間隔を有することが望ましい。
【００５８】
しかし、本実施例によるバックライトアセンブリー６００は、光学機材３００にグルーブ３３０を形成することで、拡散板５００と光学機材３００との間の間隔を減少させてバックライトアセンブリー６００の体積を減少及び良好な輝度均一性を具現することができる。
【００５９】
本実施例では光学機材３００に形成されたグルーブ３３０によって光学機材３００及び拡散板５００は約２０ｍｍ〜３０ｍｍ程度に過ぎない間隔を維持することができる。
【００６０】
以下、グルーブが形成されない光学機材を有するバックライトアセンブリー及びグルーブ３３０が形成された光学機材３００を有するバックライトアセンブリー６００の体積及び輝度をシミュレーション結果を通じて説明する。
【００６１】
図９は、光学部材にグルーブが形成されない比較区の輝度分布を図示したグラフである。図１０は、図９の光学機材及び拡散板の距離による輝度分布を図示した光分布図である。
【００６２】
図８乃至図１０を参照すると、光学機材３００の下部には一つの光源４００、例えば、発光ダイオードが配置され、光学機材３００から出射された輝度及び輝度分布は光学機材３００から７ｍｍ、１０ｍｍ、２０ｍｍ、３０ｍｍ及び５０ｍｍにそれぞれ離隔された位置及び光源４００を基準として光源４００から左右に４０ｍｍずつ離隔された位置でそれぞれ測定された。
【００６３】
グラフａは、光学機材３００から７ｍｍ離隔された位置で測定された輝度及び輝度分布を示し、グラフｂは光学機材３００から１０ｍｍ離隔された位置で測定された輝度及び輝度分布を示す。グラフｃは光学機材３００から２０ｍｍ離隔された位置で測定された輝度及び輝度分布を示し、グラフｄは光学機材３００から３０ｍｍ離隔された位置で測定された輝度及び輝度分布を示し、グラフｅは光学機材３００から５０ｍｍ離隔された位置で測定された輝度及び輝度分布を示す。
【００６４】
グラフａの場合、光学機材３００と拡散板５００との間に形成された間隔が一番近いので輝度が一番高く、輝度分布は非常に不均一である。反面、グラフｅの場合、光学機材３００と拡散板５００との間に形成された間隔が一番広いので輝度は低く、輝度分布は非常に均一である。
【００６５】
グラフａ乃至グラフｅを参照すると、光学機材３００から良好な輝度均一性を有する光を得るために、比較例では光学機材３００と拡散板５００との間に形成された間隔を少なくとも５０ｍｍ以上に離隔すべきである。
【００６６】
図１１は、光学機材にグルーブが形成された実験例の輝度分布を図示したグラフである。図１２は、図１１の光学機材及び拡散板の距離による輝度分布を図示した光分布図である。
【００６７】
図１１及び図１２を参照すると、光学機材３００の下部には、一つの発光ダイオードが配置され、光学機材３００から出射された輝度及び輝度分布は光学機材３００から７ｍｍ、１０ｍｍ、２０ｍｍ、３０ｍｍ及び５０ｍｍに離隔された位置及び光源４００を基準として光源４００から左右に４０ｍｍずつ離隔された位置でそれぞれ測定された。
【００６８】
グラフＡは、光学機材３００から７ｍｍに離隔された位置で測定された輝度及び輝度分布を示し、グラフＢは光学機材３００から１０ｍｍ離隔された位置で測定された輝度及び輝度分布を示す。グラフＣは光学機材３００から２０ｍｍ離隔された位置で測定された輝度及び輝度分布を示し、グラフＤは光学機材３００から３０ｍｍ離隔された位置で測定された輝度及び輝度分布を示し、グラフＥは光学機材３００から５０ｍｍ離隔された位置で測定された輝度及び輝度分布を示す。
【００６９】
グラフＡの場合、光学機材３００と拡散板５００との間に形成された間隔が一番近いので輝度が一番高く、輝度分布は非常に不均一である。反面、グラフＣの場合、光学機材３００と拡散板５００との間に形成された間隔が約２０ｍｍにすぎないが、光学機材３００に形成されたグルーブ３３０によって良好な輝度分布異を有する。
【００７０】
グラフＡ乃至グラフＥを参照すると、光学機材３００から良好な輝度均一性を有する光を得るためには光学機材３００と拡散板５００との間に形成された間隔を少なくとも２０ｍｍ以上に離隔すべきである。
【００７１】
光学機材３００と拡散板５００との間隔を２０ｍｍに離隔された状態で図１２の実験例及び図１０の比較例を比較すると、図１２の実験例で測定された輝度均一性が図１０の比較例で測定された輝度均一性より良好である。
【００７２】
本実施例で、比較例及び実験例の実現条件は実験例の光学機材３００に形成されたグルーブ３３０を除くと、全部同じであるので、光学機材３００にグルーブ３３０を形成することで光学機材３００から出射された光の輝度均一性を形成されることができ、これによって光学機材３００及び拡散板５００が形成する間隔をより減少させることができる。
【００７３】
表示装置
実施例７
図１３は、本発明の第７実施例による表示装置を概念的に図示した断面図である。
【００７４】
図１３を参照すると、表示装置８００は、バックライトアセンブリー６００及び表示パネル７００を含む。本実施例で、バックライトアセンブリー６００は詳細に前述した実施例２乃至実施例６と同じであるので、その重複された説明は省略し、同じ部材に対しては同じ参照符号及び名称を使う。
表示パネル７００は、第１基板７１０、第２基板７２０及び液晶層７３０を含む。
【００７５】
第１基板７１０は、複数の画素電極（ｐｉｘｅｌ  ｅｌｅｃｔｒｏｄｅ）、画素電極に駆動電圧を印加する薄膜トランジスタ（ＴＦＴ）及び薄膜トランジスタを作動させるための信号線を含む。画素電極は、透明ながら導電性であるインジウムスズ酸化物（ＩＴＯ）、インジウム亜鉛酸化物（ＩＺＯ）及びアモルファスインジウムスズ酸化物（ａ−ＩＴＯ）などを含むことができる。
【００７６】
第２基板７２０は、第１基板７１０と向い合うように配置され、透明しながら導電性である共通電極（ｃｏｍｍｏｎ  ｅｌｅｃｔｒｏｄｅ）及び画素電極と向い合う位置に配置されたカラーフィルターを含む。
【００７７】
液晶層（ｌｉｑｕｉｄ  ｃｒｙｓｔａｌ  ｌａｙｅｒ）７３０は、第１基板７１０と第２基板７２０との間に介在され、画素電極と共通電極との間に形成された電界差によって再配列され、再配列された液晶層７３０によってバックライトアセンブリー６００の光源４００、光学機材３００を通過した光の透過率が調節され、光透過率が調節された光はカラーフィルターを通過することで画像が表示される。
【産業上の利用可能性】
【００７８】
以上で、詳細の説明によると、光源と向い合うように配置された光学機材に光源から発生した光の一部を反射させるグルーブを形成して光学機材から出射される光の均一性をより向上させ、グルーブが形成された光学機材及び光学機材から離隔された位置に配置された拡散板の間の間隔をより減少させる効果を有する。
【００７９】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００８０】
【図１】本発明の第１実施例による光学機材の一部を図示した平面図である。
【図２】図１のＩ１−Ｉ２に沿って見た断面図である。
【図３】本発明の第１実施例によって光入謝面に形成された光反射層を図示した断面図である。
【図４】本発明の第２実施例によるバックライトアセンブリーを図示した断面図である。
【図５】本発明の第３実施例によるバックライトアセンブリーの断面図である。
【図６】本発明の第４実施例によるバックライトアセンブリーの断面図である。
【図７】本発明の第５実施例によるバックライトアセンブリーの断面図である。
【図８】本発明の第６実施例によるバックライトアセンブリーを図示した断面図である。
【図９】光学機材にグルーブが形成されない比較区の輝度分布を図示したグラフである。
【図１０】図９の光学機材及び拡散板の距離による輝度分布を図示した光分布図である。
【図１１】光学機材にグルーブが形成された実験例の輝度分布を図示したグラフである。
【図１２】図１１の光学機材及び拡散板の距離による輝度分布を図示した光分布図である。
【図１３】本発明の第７実施例による表示装置を概念的に図示した断面図である。
【符号の説明】
【００８１】
１００、３００    バックライトアセンブリー
１１０    光入射面
１２０    光出射面
１３０、３３０、３３５    グルーブ
１３２、３３２    凹面
１３３、３３４    第２閉曲線
１３４、３３６    第１閉曲線
１３６、３３８    光反射層
２００    収納容器
２１０    底面
２１５    収納空間
３１０    第１面
３２０    第２面
４００    光源
４１０    レンズ
５００    拡散板
６００    バックライトアセンブリー
７００    表示パネル
７１０    第１基板
７２０    第２基板
７３０    液晶層
８００    表示装置
【図１】
2006012763.tif 000003
【図２】
2006012763.tif 000004
【図３】
2006012763.tif 000005
【図４】
2006012763.tif 000006
【図５】
2006012763.tif 000007
【図６】
2006012763.tif 000008
【図７】
2006012763.tif 000009
【図８】
2006012763.tif 000010
【図９】
2006012763.tif 000011
【図１０】
2006012763.tif 000012
【図１１】
2006012763.tif 000013
【図１２】
2006012763.tif 000014
【図１３】
2006012763.tif 000015